(57)【要約】【課題】振動によってネジが緩んだ場合でも、ネジが脱落せず、蓋部材が脱落するのを防止できるセンサを提供する。【解決手段】センサは、ケース固定用ネジによって被測定物の検出面に取り付けられるセンサケースと、蓋固定用ネジによって前記センサケースに取り付けられる蓋部材と、前記蓋固定用ネジを覆うことで、前記蓋固定用ネジの脱落を防止すると共に、前記ケース固定用ネジによって前記センサケースと共締めされるカバー部材と、を備える。【選択図】図１
2020034320.tif 000002
【特許請求の範囲】
【請求項１】
ケース固定用ネジによって被測定物の検出面に取り付けられるセンサケースと、
蓋固定用ネジによって前記センサケースに取り付けられる蓋部材と、
前記蓋固定用ネジを覆うと共に、前記ケース固定用ネジによって前記センサケースと共締めされるカバー部材と、
を備えることを特徴とするセンサ。
【請求項２】
前記蓋部材には、前記蓋固定用ネジの頭部を収容する頭部収容孔が形成され、
前記カバー部材は、前記頭部収容孔が開口する前記蓋部材の表面を覆うことで、前記蓋固定用ネジを覆う、請求項１に記載のセンサ。
【請求項３】
前記ケース固定用ネジは、ワイヤリング又はネジロックによって緩み止めされている、請求項１又は２に記載のセンサ。
【発明の詳細な説明】
【技術分野】
【０００１】
本発明は、センサに関し、特に、被測定物の振動、温度などを測定するため、産業機械、鉄道、自動車等に適用されるセンサに関する。
【背景技術】
【０００２】
例えば、車両等に取り付けられる振動センサや温度センサは、検出部や基板等をケース内部に収容し、蓋部材を固定ネジでケースに固定し、ケースを車両に他の固定ネジで固定している。
【０００３】
また、従来のセンサ組立体としては、センサ検出部を検出体固定ネジを用いてケースの上壁面内側に固定することで、ケースに対する相対的な運動を生じさせず、ケースに生じた運動に応じた量のみを検出するようにして、センサ検出部が信頼性に優れた検出性能を有するものが知られている（特許文献１参照）。また、この特許文献１では、センサ組立体の本体を被検出体へ固定するブラケットは、被検出体に固定されると共に、ブラケット固定ネジを用いて、検出体固定ネジと同じ方向からケースに固定されている。
【先行技術文献】
【特許文献】
【０００４】
【特許文献１】特許第３２０１２４２号公報
【発明の概要】
【発明が解決しようとする課題】
【０００５】
しかしながら、従来のセンサでは、振動によってネジが緩むと、ネジや蓋部材が脱落する可能性がある。
特許文献１に記載のセンサ組立体においても、ブラケット固定ネジは、外部に露出しているため、被検出体の振動によってネジが緩むと、ネジの脱落、さらには、ブラケットからケースが分離する可能性があった。
【０００６】
本発明は、前述した課題に鑑みてなされたものであり、その目的は、振動によってネジが緩んだ場合でも、ネジが脱落せず、蓋部材が脱落するのを防止できるセンサを提供することにある。
【課題を解決するための手段】
【０００７】
本発明の上記目的は、下記の構成により達成される。
（１）  ケース固定用ネジによって被測定物の検出面に取り付けられるセンサケースと、
蓋固定用ネジによって前記センサケースに取り付けられる蓋部材と、
前記蓋固定用ネジを覆うと共に、前記ケース固定用ネジによって前記センサケースと共締めされるカバー部材と、
を備えることを特徴とするセンサ。
（２）  前記蓋部材には、前記蓋固定用ネジの頭部を収容する頭部収容孔が形成され、
前記カバー部材は、前記頭部収容孔が開口する前記蓋部材の表面を覆うことで、前記蓋固定用ネジを覆う、（１）に記載のセンサ。
（３）  前記ケース固定用ネジは、ワイヤリング又はネジロックによって緩み止めされている、（１）又は（２）に記載のセンサ。
【発明の効果】
【０００８】
本発明のセンサによれば、蓋固定用ネジを覆うと共に、ケース固定用ネジによってセンサケースと共締めされるカバー部材を備えるので、振動によって蓋固定用ネジが緩んだ場合でも、該ネジが脱落せず、よって、蓋部材が脱落するのを防止できる。
【図面の簡単な説明】
【０００９】
【図１】本発明の一実施形態に係るセンサの断面図である。
【発明を実施するための形態】
【００１０】
以下、本発明の一実施形態に係るセンサについて、図面に基づいて詳細に説明する。この図１に示すセンサ１０は、被測定物１の振動や温度などの物理量を検出するものであり、被測定物１の検出面２に取り付けられる。
【００１１】
センサ１０は、複数のケース固定用ネジ３１（図１では、１本のみ図示）によって被測定物１の検出面２に取り付けられる略矩形状のセンサケース１１と、複数の蓋固定用ネジ３２によってセンサケース１１に取り付けられる平板状の蓋部材２１と、を備える。そして、センサケース１１と蓋部材２１とによって囲まれた図示しない空間に、不図示の検出部や基板が配置される。蓋部材２１は、防水、防塵などから、センサ１０の内部部品を保護するために設けられている。検出部にて検出された信号は、センサケース１１の側面に接続された信号ケーブル１３によって外部へと送られる。
【００１２】
また、本実施形態では、蓋部材２１は、信号ケーブル１３が接続されるセンサケース１１の側面と反対側の側面に取り付けられている。蓋部材２１には、蓋固定用ネジ３２の皿形の頭部３２ａを収容する頭部収容孔２２が形成されており、蓋固定用ネジ３２が締め付けられた状態では、蓋固定用ネジ３２の頭部３２ａは、蓋部材２１の表面から突出しない。
【００１３】
さらに、センサ１０は、頭部収容孔２２が開口する蓋部材２１の表面を覆うことで、蓋固定用ネジ３２を覆うと共に、ケース固定用ネジ３１によってセンサケース１１と共締めされるカバー部材４０を、さらに備える。即ち、ケース固定用ネジ３１は、センサケース１１及びカバー部材４０の貫通孔１２、４１を介して、検出面２に形成されるネジ穴３に締結される。
【００１４】
このカバー部材４０は、蓋部材２１の表面を覆うと共に、センサケース１１の上面、及びセンサケース１１の両側面（図１の紙面に垂直な両側面）を覆い、センサケース１１と蓋部材２１との接合面も覆っている。
【００１５】
ここで、センサケース１１を固定するケース固定用ネジ３１は、蓋固定用ネジ３２より大径で、センサケース１１が確実に脱落しないように、被測定物１の検出面２への締結力が大きくなるように設計されているので、カバー部材４０のセンサケース１１からの脱落も確実に防止される。
したがって、本実施形態のセンサ１０によれば、ケース固定用ネジ３１によって被測定物１の検出面２に取り付けられるセンサケース１１と、蓋固定用ネジ３２によってセンサケース１１に取り付けられる蓋部材２１と、蓋固定用ネジ３２を覆うと共に、ケース固定用ネジ３１によってセンサケース１１と共締めされるカバー部材４０と、を備える。これにより、振動によって蓋固定用ネジ３２が緩んだ場合でも、該ネジ３２が脱落せず、また、蓋部材２１が脱落するのを防止できる。
【００１６】
尚、本発明は、前述した実施形態に限定されるものではなく、適宜、変形、改良、等が可能である。
例えば、ケース固定用ネジ３１は、図示しないワイヤリングやネジロック等で緩み防止対策を行う事で、より効果的に緩みを防止することができる。
また、蓋部材固定用ネジ３２の緩みを防止するために、接着剤を用いて、該ネジ３２と蓋部材２１を固定してもよい。
センサは、上述した振動センサや温度センサに限定されず、他の物理量を検出する任意のセンサであればよい。
【符号の説明】
【００１７】
１      被測定物
２      検出面
１０    センサ
１１    センサケース
２１    蓋部材
３１    ケース固定用ネジ
３２    蓋部材固定用ネジ
４０    カバー部材
【図１】
2020034320.tif 000003